(57)【特許請求の範囲】
【請求項１】
上部に開口部を有し陰嚢を収容する袋体と、下端が該袋体の上端縁側であってかつ着用時に該袋体の身体に接する側に固着され、上端が、着用時に男性用下着に接触する側に固着した面ファスナーにより、着用時には男性用下着上端部に着設される２本の紐体と、からなることを特徴とする蒸れ防止用袋体。
【請求項２】
男性用下着の前側上端部の身体側に面ファスナーを固着し、前記蒸れ防止用袋体の開口部の、前記紐体の下端が固着された側が着用時に身体側になるように吊着した状態で、前記男性用下着の面ファスナーと、前記紐体の面ファスナーとを、前記袋体の上端部と前記男性用下着の上端部との間隔を調整可能でかつ着脱可能な状態で結合させたことを特徴とする請求項１に記載の蒸れ防止用袋体付男性用下着。
【発明の詳細な説明】
【技術分野】
【０００１】
本発明は、大腿の付根部分の蒸れを防止し爽快な気分をもたらす蒸れ防止用袋体及び該袋体を備えた蒸れ防止用袋体付男性用下着に関するものである。
【背景技術】
【０００２】
特許文献１には、ベルトと、そのベルトから紐でぶら下げた陰嚢が入る袋と、ベルトと袋をつなぐ右紐と、左紐を備え、右紐は、一本のゴム紐で、紐前部と紐中部と紐後部からなり、紐前部の前端はベルトの前部に接続し、紐中部は、四角柱状又は円柱状の袋の開口部の右側部と縫い合わせされ、紐後部の後端部はベルトの後端に接続し、左紐は、一本のゴム紐で、紐前部と紐中部と紐後部からなり、紐前部の前端はベルトの前部に接続し、紐中部は、四角柱状又は円柱状の袋の開口部の左側部と縫い合わせされ、紐後部の後端部はベルトの後端に接続した湿疹防止用サポーターの技術が開示されている。
【０００３】
特許文献２には、陰嚢を少し引き上げ股のすぐ上の位置に保つ、ハンモック形状の陰嚢吊りを取り付けた男性用下着の技術が開示されている。
【先行技術文献】
【特許文献】
【０００４】
【特許文献１】実用新案登録第３１７８４３６号公報
【特許文献２】特開２０１２−１３２１３６号公報
【発明の概要】
【発明が解決しようとする課題】
【０００５】
しかし、特許文献１に記載の考案は、輪状のベルトを身体の胴回りに肌に直に巻きつけるため、該ベルト部分には汗が溜りかゆみも生じるという問題があった。また、男性用下着とは別物として着用しなければならないため、特許文献１の考案品を着用した後に男性用下着を着用するという手間がかかるという問題もあった。さらに、身体の低い人や身体の高い人によって胴回りから陰嚢の高さ方向の長さが異なるにもかかわらず、胴回りに着用するベルトから陰嚢が入る袋体を紐で吊り下げているため、該紐の長さが決まっているので、着用したときのベルトの位置が腰の位置の高さなので、前記袋体の高さと陰嚢の高さが一致しなければうまく陰嚢が前記袋体に収納しないという問題があった。
【０００６】
さらに、前記陰嚢が入る袋体の左右側に前後方向で２箇所ずつ吊り下げ点を設けて２点支持の形で紐を縫い付けているので、前記男性用下着を着用したときに、前記２点支持部の２本の紐が立体的な形態となって前記男性用下着と身体との狭い間に介在することから、前記２本の紐が身体の男性用下着によって押し付けられ、身体の肌に何か立体的な物品が当たるという不快感を感じるという問題があった。
【０００７】
特許文献２に記載の発明は、陰嚢を収容する袋体（引用文献２では陰嚢吊りと記載）を吊り下げる紐体（引用文献２では取り付け部と記載）が、男性用下着の高さ方向で中間近傍に接着させており短い。このため、紐体の長さが短いと人は歩行、運動、座る、立つ等の動作をするときに接着部に対して剥離方向である前後方向の力が繰り返し加わるので、前記陰嚢を収容した袋体が、紐体の面ファスナーのところで剥離して脱落しやすいという問題があった。
【０００８】
また、引用文献２の段落［０００９］には「着用中に陰嚢吊り全体が陰嚢の裏側にずれてしまうことを防ぐため、前縁の真ん中の一点をパンツ（男性用下着の意味と同じ）に縫い付ける。」との記載があることから、パンツの前側と袋体とが一部で密着するのでパンツの前側と袋体との間隔が確保できにくいことから前記袋体内に陰嚢を収容しにくいという問題があった。
【０００９】
さらに、引用文献２の図１及び図２から、紐体が袋体の前側であるパンツ側の上端部に固着させているので、着用者が歩行、運動、座る、立つ等の動作を実施することによって、裏縁の上端が上下方向で下方に撓んで裏縁の上から陰嚢が飛び出しやすいという問題があった。
【００１０】
本発明はこうした問題に鑑み創案されたもので、通常の歩行、走る、かがむなどの動作をしても股部の蒸れを抑制し快適な気分を味わうことができる蒸れ防止用袋体及び該蒸れ防止用袋体付男性用下着を提供することを課題とする。
【課題を解決するための手段】
【００１１】
請求項１に記載の蒸れ防止用袋体１の発明は、上部に開口部を有し陰嚢を収容する袋体３と、下端が該袋体３の上端縁側であってかつ着用時に該袋体３の身体に接する側に固着され、上端が、着用時に男性用下着７に接触する側に固着した面ファスナー５により、着用時には男性用下着７上端部に着設される２本の紐体４と、からなることを特徴とする。
【００１２】
請求項２に記載の蒸れ防止用袋体付男性用下着２は、請求項１において、男性用下着７の前側上端部の身体側に面ファスナー６を固着し、前記蒸れ防止用袋体１の開口部の、前記紐体４の下端が固着された側が着用時に身体側になるように吊着した状態で、前記男性用下着７の面ファスナー６と、前記紐体４の面ファスナー５とを、前記袋体３の上端部と前記男性用下着７の上端部との間隔を調整可能でかつ着脱可能な状態で結合させたことを特徴とする。
【発明の効果】
【００１３】
請求項１に記載の蒸れ防止用袋体１の発明は、股部において汗が皮膚に付着して温度が上昇し蒸れるので不快感を感じるが、陰嚢と大腿部とを布地でつくられた袋体３で離隔させるので、汗を袋体３が吸収し濡れた袋体３が極めて短時間で乾くなどにより、股部が蒸れにくいし湿気を感じないので快適さを感じるという効果を奏する。
【００１４】
袋体３が、形態が布状の生地又はネット状の生地から造られた袋であって、吸湿性、速乾性、抗菌性、通気性、放熱性などを有する繊維から造られることから、例えば、真夏の外での炎天下において建設作業に従事していても、作業に従事する着用者は清潔感と快適性を感じることができ、股間にできる湿疹や皮膚炎を発症させにくいという効果を奏する。
【００１５】
袋体３を男性用下着７内において吊着させる紐体４の前記袋体３との固着箇所を、袋体３の着用時に身体側となる側の左右端とすることによって、着用者が通常の歩行、走る、かがむなどの動作をしても陰嚢が前記袋体３から脱落しないという効果を奏する。これは、男性用下着７の前側の身体側の面に陰茎が当接し前記袋体３を後方向に動かそうとする力が働き、一方、陰嚢を収納した袋体３の身体側に固着した紐体４は男性用下着７の上端部を支点として前記袋体３を男性用下着７側である前方に動かそうとする力が働くことから、双方の相反する力によって前記袋体３と陰嚢との位置関係がしっかりと保持されやすくなって、着用者が通常の動作では陰嚢が前記袋体３から脱落しにくいからである。
【００１６】
紐体４の長さが着用時に股部から男性用下着７上端部までの長さを有するので、男性用下着７の腰部の位置と股部の位置との距離が着用者ごとに異なっていても、蒸れ防止用袋体付男性用下着２を着用した後に陰嚢を収容した前記袋体３に固着した紐体４を上方に引っ張り上げた状態にして前記紐体４と前記男性用下着７とを固着することができる。これにより、身体の大きさにかかわらず身体にしっかりと着用することができるという効果を奏する。
【００１７】
蒸れ防止用袋体１の構成は、袋体３、２本の紐体４、及び面ファスナー５等の固着手段とからなるので製造コストが極めて低コストであるという効果を奏する。
【００１８】
請求項２に記載の蒸れ防止用袋体付男性用下着２は、請求項１に記載の効果を同じ効果を奏する。
【図面の簡単な説明】
【００１９】
【図１】本発明の蒸れ防止用袋体の斜視概要図である。
【図２】男性用下着の斜視概要図である。
【図３】本発明の蒸れ防止用袋体付男性用下着の斜視概要図である。
【図４】図３の前後方向で中央部におけるＡ−Ａ断面図である。
【図５】図３の面ファスナー部におけるＢ−Ｂ断面図である。
【図６】使用状態を示す図３の面ファスナー部におけるＢ−Ｂ断面図である。
【発明を実施するための形態】
【００２０】
本発明に係る蒸れ防止用袋体１の発明は、図１、図５、図６に示すように、上部に開口部を有し陰嚢を収容する袋体３と、下端が該袋体３の上端縁側であってかつ着用時に該袋体３の身体に接する側に固着され、上端が、着用時に男性用下着７に接触する側に固着した面ファスナー５により、着用時には男性用下着７上端部に着設される２本の紐体４とからなる。
【００２１】
そして、蒸れ防止用袋体付男性用下着２の発明は、図３、図５、図６に示すように、男性用下着７の前側上端部の身体側に面ファスナー６を固着し、前記蒸れ防止用袋体１の開口部の、前記紐体４の下端が固着された側が着用時に身体側になるように吊着した状態で、前記男性用下着７の面ファスナー６と、前記紐体４の面ファスナー５とを、前記袋体３の上端部と前記男性用下着７の上端部との間隔を調整可能でかつ着脱可能な状態で結合させる。蒸れ防止用袋体１を男性用下着７から脱着可能であるので、洗濯時には蒸れ防止用袋体１を男性用下着７から取り外して別々にして洗濯することができる。
【００２２】
蒸れ防止用袋体１の袋体３は、吸湿性、速乾性、抗菌性、通気性、放熱性を有するのがよい。そのため、袋体３の形態は、下着に使用する布地などの布状の形態、又はガーゼ状、メッシュ状や網状のネット状の形態などの速乾性、通気性、放熱性を有する形態からなり、使用する繊維は、木綿や麻などの植物繊維や、レーヨンなどの化学繊維などの吸湿性や速乾性を有する繊維からなり、さらに抗菌加工を実施するのがよい。
【００２３】
そして、前記袋体３は、上部に開口部を有し、陰嚢を収容可能な大きさを有する袋体３からなる。
【００２４】
紐体４は、図１及び図４に示すように、２本の帯状の形態からなり、長さは、前記袋体３内に陰嚢を収容したときに前記紐体４の上端が、蒸れ防止用袋体付男性用下着２を着用したときに、少なくとも男性用下着７の上端を超える長さを有する。これにより、蒸れ防止用袋体１は身体の大きさに応じて紐体４と男性用下着７との固着位置を調整することができる。
【００２５】
紐体４の材質は、木綿や麻などの植物繊維、レーヨンなどの化学繊維又はゴム紐などの内、いずれでもよい。また、紐体４の横幅は、男性用下着７に固着した面ファスナー６の横幅と同じか、面ファスナー６の横幅より広くする。これにより、面ファスナー６の表面の起毛部分が直接に身体の肌に触れるとチクチク感のような痛感を覚えるが、面ファスナー６が着用時に身体の肌に直接に接することがないので前記の痛感を覚えることはない。
【００２６】
前記紐体４は、着用時に前記袋体３の身体側となる側の左右端に固着させる。固着方法は、糸による縫着、又は接着剤による接着がある。そして、紐体４の上方であって着用時に男性用下着７の前側と接する側に面ファスナー５を縫着等により固着する。前記袋体３と紐体４との固着位置を袋体３の男性用下着７側でなく着用時の身体側に設けたことにより、着用者が通常の歩行、走る、かがむなどの動作をしても陰嚢が前記袋体３から脱落しにくい。
【００２７】
また、面ファスナー５の横幅は、紐体４の横幅と同じか、紐体４の横幅より狭くする。これにより、面ファスナー５の裏面のやや硬めの面が直接に身体の肌に触れると違和感を覚えるが、面ファスナー５の裏面が着用時に身体の肌に直接に接することがないので前記の違和感を覚えることはない。
【００２８】
次に、男性用下着７には、蒸れ防止用袋体１を吊設するための固着手段を設ける。固着手段としては面ファスナー６があり、図２に示すように、２つのやや幅狭の面ファスナー６を前記男性用下着７の上端部近傍から下方にわたって、男性用下着７の左右中心点から左右方向の位置が略同じになるようにして略蒸れ防止用袋体１の横幅の間隔で縦方向に縫着などにより固着したりする。
【００２９】
前記面ファスナー６の横幅は、前記紐体４の横幅と同じか、紐体４の横幅より狭くする。これにより、面ファスナー６の表面の起毛部分が直接に身体の肌に触れるとチクチク感のような痛感を覚えるが、面ファスナー６が着用時に身体の肌に直接に接することがないので前記の痛感を覚えることはない。
【００３０】
次に、本発明である蒸れ防止用袋体付男性用下着２の使用方法を説明する。
【００３１】
まず、図３又は図５に示すような蒸れ防止用袋体付男性用下着２を着用する。そして、蒸れ防止用袋体１の袋体３内に陰嚢を収容し、前記袋体３をしっかりと身体に密着させ安定させるために、面ファスナー５と面ファスナー６とを一旦離して２本の紐体４を上方に引っ張り上げて、前記紐帯の面ファスナー５部を男性用下着７側の面ファスナー６に接着させて押圧し固着する。これにより、図６に示すように陰嚢が袋体３内にしっかりと収納され、陰嚢と大腿部とを前記蒸れ防止用袋体１によりしっかりと隔離させることができる。
【００３２】
図６に示すように、男性用下着７の前側の身体側の面に陰茎が当接し前記袋体３を後方向に動かそうとする力Ｐ１が働き、一方、陰嚢を収納した袋体３の身体側に固着した紐体４は男性用下着７の上端部を支点として前記袋体３を男性用下着７側である前方に動かそうとする力Ｐ２が働くことから、着用者が通常の歩行、走る、かがむなどの動作をしても陰嚢が前記袋体３から脱落しにくい。
【００３３】
また、袋体３の前側を自由端として、紐体４を男性用下着７の上端部から垂下させているので、図６に示すように、前記袋体３は身体の股間周辺の形状に沿って自由に移動することができ、前記紐体４は身体の腹部や股間周辺の形状に沿って自由に変形することができる。これにより、着用者は本発明である蒸れ防止用袋体１を違和感なく着用することができる。
【符号の説明】
【００３４】
１              蒸れ防止用袋体
２              蒸れ防止用袋体付男性用下着
３              袋体
４              紐体
５              面ファスナー
６              面ファスナー
７              男性用下着
Ｐ１            力
Ｐ２            力
【要約】
【課題】  通常の歩行、走る、かがむなどの動作をしても股部の蒸れを抑制し快適な気分を味わうことができる蒸れ防止用袋体及び該袋体付男性用下着を提供する。
【解決手段】上部に開口部を有し陰嚢を収容する袋体と、該袋体の着用時に身体側となる側の左右端に固着させ、着用時に股部から男性用下着上端部までの長さを有する２本の紐体と、該２本の紐体の上部で男性用下着側に固着させる面ファスナーと、からなる蒸れ防止用袋体により課題解決できた。
【選択図】      図５【図１】
0005555363.tif 000002
【図２】
0005555363.tif 000003
【図３】
0005555363.tif 000004
【図４】
0005555363.tif 000005
【図５】
0005555363.tif 000006
【図６】
0005555363.tif 000007